(57)【要約】【課題】使用者のサーブ能力が向上されるようにする卓球サーブ練習装置を提供する。【解決手段】本発明は、ネットを挟んで卓球ボールに対する第１バウンドが行われるようにする第１の部分と、ネットを越えて第２バウンドが行われるようにする第２の部分とで形成される卓球台と、第２の部分の互いに異なる位置に複数個設けられ、感知センサを備えて、卓球ボールにより生じる振動感知を通じて第２バウンドの位置を感知するように形成されるサーブ位置感知部と、サーブ位置感知部に設けられ、設定状態に応じてサーブ位置感知部の外部に互いに異なる色が発光されるように形成される発光部と、サーブ位置感知部と無線通信ができるように備えられ、サーブ位置感知部へ、感知センサを位置センシング可能な状態に活性化させるための第１の信号を提供する端末機とを含み、サーブ位置感知部は、感知センサにより振動が感知されると、第２の信号を端末機へ送信する。【選択図】図１
2020014825.tif 000002
【特許請求の範囲】
【請求項１】
ネットを挟んで卓球ボールに対する第１バウンドが行われるようにする第１の部分と、上記ネットを越えて第２バウンドが行われるようにする第２の部分とで形成される卓球台と、
上記第２の部分の互いに異なる位置に複数個設けられ、感知センサを備えて、上記卓球ボールにより生じる振動感知を通じて上記第２バウンドの位置を感知するように形成されるサーブ位置感知部と、
上記サーブ位置感知部に設けられ、設定状態に応じて上記サーブ位置感知部の外部に互いに異なる色が発光されるように形成される発光部と、
上記サーブ位置感知部と無線通信ができるように備えられ、上記サーブ位置感知部へ、上記感知センサを位置センシング可能な状態に活性化させるための第１の信号を提供する端末機とを含み、
上記サーブ位置感知部は、上記感知センサにより振動が感知されると、第２の信号を上記端末機へ送信することを特徴とする卓球サーブ練習装置。
【請求項２】
上記サーブ位置感知部は、
上記感知センサが中心に形成された取付孔を遮蔽して配置されるように形成される本体と、
上記取付孔を遮蔽して配置された上記感知センサの上面に位置しており、上記本体の上面と同一線をなすように形成されるカバーとを備えることを特徴とする、請求項１に記載の卓球サーブ練習装置。
【請求項３】
上記サーブ位置感知部は、
上記カバーを中心として傾斜を有しており、上記本体の角を形成する外周面が丸く形成されることを特徴とする、請求項２に記載の卓球サーブ練習装置。
【請求項４】
上記本体は、
上記卓球台と向い合う底面に結合され、上記卓球ボールにより生じる上記卓球台の振動を吸収するように形成される緩衝パッドを備えることを特徴とする、請求項２に記載の卓球サーブ練習装置。
【請求項５】
上記サーブ位置感知部は、
上記本体の上面に設けられ、上記本体の周辺を通過する上記卓球ボールと上記本体の外周面間の間隔を感知するように形成される超音波センサを備えることを特徴とする、請求項２に記載の卓球サーブ練習装置。
【請求項６】
上記発光部は、
上記感知センサに対する活性可能状態においては、第１の色が発光されるように形成され、上記第２バウンドの位置が感知された状態においては、当該サーブ位置感知部に第２の色が発光されるように形成されることを特徴とする、請求項１に記載の卓球サーブ練習装置。
【請求項７】
上記端末機は、
上記サーブ位置感知部へ第３の信号が提供されるようにし、
上記発光部は、上記第３の信号に応じて複数個の上記サーブ位置感知部のいずれか１つのサーブ位置感知部に第３の色が発光されるようにすることを特徴とする、請求項６に記載の卓球サーブ練習装置。
【請求項８】
上記端末機は、
複数個の上記サーブ位置感知部に順次に又はランダムに上記第３の色が発光されるように、上記サーブ位置感知部へ提供される上記第３の信号に対する設定を可能にすることを特徴とする、請求項７に記載の卓球サーブ練習装置。
【請求項９】
上記感知センサは、
上記ネットに隣接した上記第２の部分の中央部に備えられる第１の位置と、
上記ネットに隣接しており、サーバの視線を基準として上記第２の部分の左側部に備えられる第２の位置と、
上記ネットを基準として上記サーバが位置した反対側の卓球台の一端に備えられ、サーバの視線を基準として上記第２の部分の左側部に備えられる第３の位置と、
上記ネットを基準として上記サーバが位置した反対側の卓球台の一端に備えられ、サーバの視線を基準として上記第２の部分の右側部に備えられる第４の位置とのいずれか1つに設けられることを特徴とする、請求項１に記載の卓球サーブ練習装置。
【請求項１０】
上記感知センサは、
上記第２バウンドする時点で上記卓球ボールとの接触により、上記卓球ボールの位置情報、回転方向についての情報及び回転数についての情報のうちの少なくとも１つを感知して、上記端末機へ提供することを特徴とする、請求項１に記載の卓球サーブ練習装置。
【請求項１１】
上記端末機は、
上記卓球ボールの位置、回転方向及び回転数を設定可能に形成されることを特徴とする、請求項１に記載の卓球サーブ練習装置。
【請求項１２】
上記端末機は、
遂行回数、目標回転量及び目標回転方向のうちの少なくとも１つを入力可能にする入力部を備えることを特徴とする、請求項１に記載の卓球サーブ練習装置。
【発明の詳細な説明】
【技術分野】
【０００１】
本発明は、卓球サーブ練習装置に関し、より詳細には、卓球台の指定された位置にサーブ（サービス）を入れることができるように練習が行われるようにする卓球サーブ練習装置に関する。
【背景技術】
【０００２】
一般的に、卓球は、卓球台の中央にネットを張り、相手側エリアに小型で軽量の卓球ボールをラケットで打ち返して勝負をつける球技競技であって、小型で軽量のボール（球）をラケットで打ち返す競技の特性のため、競技者の正しいスイング（素振り）動作の制御とスイングの力調節が極めて重要な競技であり、このような特性のため、スイング動作を持続的に繰り返し練習して技術を習得し熟練しなければならず、さらに、フォアハンドスイングとバックハンドスイングの自然な切り替え動作も持続的に繰り返し練習して技術を習得し熟練しなければならない。
【０００３】
例えば、卓球競技の始めと言えるサーブとレシーブさえも、サーブをする人によって卓球ボールの高さ、速度及び方向が異なるため、持続的な練習を通じてのみ効果的なレシーブが可能となり、ひいては攻撃への切り替えもできるものである。
【０００４】
特に、卓球競技において、サーブは、競技の勝敗を左右するほど重要であるにもかかわらず、使用者（プレイヤー）が所望の位置にサーブを入れることができるように練習が行われるようにする装置は、ほとんど存在していなかった。
【発明の概要】
【発明が解決しようとする課題】
【０００５】
本発明の目的は、複数のサーブ位置感知部を備えて、使用者のサーブ練習のときにサーブ位置を端末機へ伝達し、端末機でサーブ位置を格納及び評価して、使用者が所望の位置にサーブを入れることができるように練習が行われるようにすることによって、使用者のサーブ能力が向上されるようにする卓球サーブ練習装置を提供することにある。
【課題を解決するための手段】
【０００６】
本発明による卓球サーブ練習装置は、ネットを挟んで、卓球ボールに対する第１バウンドが行われるようにする第１の部分と、上記ネットを越えて第２バウンドが行われるようにする第２の部分とで形成される卓球台と、上記第２の部分の互いに異なる位置に複数個設けられ、感知センサを備えて、上記卓球ボールにより生じる振動感知を通じて上記第２バウンドの位置を感知するように形成されるサーブ位置感知部と、上記サーブ位置感知部に設けられ、設定状態に応じて上記サーブ位置感知部の外部に互いに異なる色が発光されるように形成される発光部と、上記サーブ位置感知部と無線通信ができるように備えられ、上記サーブ位置感知部へ、上記感知センサを位置センシング可能な状態に活性化させるための第１の信号を提供する端末機とを含むことを特徴としており、上記サーブ位置感知部は、上記感知センサにより振動が感知されると、第２の信号を上記端末機へ送信する。
【０００７】
ここで、上記サーブ位置感知部は、上記感知センサが中心に形成された取付孔を遮蔽して配置されるように形成される本体と、上記取付孔を遮蔽して配置された上記感知センサの上面に位置しており、上記本体の上面と同一線をなすように形成されるカバーとを備える。
【０００８】
このようなサーブ位置感知部は、上記カバーを中心として傾斜を有しており、上記本体の角を形成する外周面が丸く形成される。
【０００９】
そして、上記本体は、上記卓球台と向い合う底面に結合され、上記卓球ボールにより生じる上記卓球台の振動を吸収するように形成される緩衝パッドを備える。
【００１０】
さらに、上記サーブ位置感知部は、上記本体の上面に設けられ、上記本体の周辺を通過する上記卓球ボールと上記本体の外周面間の間隔を感知するように形成される超音波センサを備える。
【００１１】
一方、上記発光部は、上記感知センサに対する活性可能状態においては、第１の色が発光されるように形成され、上記第２バウンドの位置が感知された状態においては、当該サーブ位置感知部に第２の色が発光されるように形成される。
【００１２】
ここで、上記端末機は、上記サーブ位置感知部へ第３の信号が提供されるようにし、上記発光部は、上記第３の信号に応じて、複数個の上記サーブ位置感知部のいずれか１つのサーブ位置感知部に第３の色が発光されるようにする。
【００１３】
そして、上記端末機は、複数個の上記サーブ位置感知部に順次に又はランダムに上記第３の色が発光されるように、上記サーブ位置感知部へ提供される上記第３の信号に対する設定を可能にする。
【００１４】
一方、上記感知センサは、上記ネットに隣接した上記第２の部分の中央部に備えられる第１の位置と、上記ネットに隣接しており、サーバの視線を基準として上記第２の部分の左側部に備えられる第２の位置と、上記ネットを基準として上記サーバが位置した反対側の卓球台の一端に備えられ、サーバの視線を基準として上記第２の部分の左側部に備えられる第３の位置と、上記ネットを基準として上記サーバが位置した反対側の卓球台の一端に備えられ、サーバの視線を基準として上記第２の部分の右側部に備えられる第４の位置とのいずれか１つに設けられる。
【００１５】
そして、上記感知センサは、上記第２バウンドが行われる時点で上記卓球ボールとの接触により、上記卓球ボールの位置情報、回転方向についての情報及び回転数についての情報のうちの少なくとも１つを感知して、上記端末機へ提供する。
【００１６】
そして、上記端末機は、上記卓球ボールの位置、回転方向及び回転数を設定可能に形成される。
【００１７】
さらに、上記端末機は、遂行回数、目標回転量及び目標回転方向のうちの少なくとも１つを入力可能にする入力部を備える。
【発明の効果】
【００１８】
本発明は、複数のサーブ位置感知部を備えて、使用者のサーブ練習のときにサーブ位置を端末機に伝達し、端末機でサーブ位置を格納及び評価して、使用者が所望の位置にサーブを入れることができるように練習が行われるようにすることによって、使用者のサーブ能力が向上されるようにするという効果を有する。
【００１９】
また、本発明は、サーブ位置感知部でサーブの方向及び回転量が感知できるようにすることによって、使用者が所望の回転方向及び回転量でサーブを入れることができるように練習が行われるようにするという効果を有する。
【００２０】
更に、本発明は、インターネットを介して、端末機に格納されたサーブの評価情報が中央サーバへ伝達され記録されるようにすることによって、複数の使用者間で当該使用者のランキングが確認できるようにするという効果を有する。
【図面の簡単な説明】
【００２１】
【図１】本発明の実施例による卓球サーブ練習装置を概略的に示す図である。
【図２】本発明の実施例による卓球サーブ練習装置に対するサーブ位置感知部を示す図である。
【図３】本発明の実施例による卓球サーブ練習装置に対するサーブ位置感知部及び端末機のそれぞれの構成、及びこれらの間の信号を示すブロック図である。
【図４】本発明の実施例による卓球サーブ練習装置に対するサーブ位置感知部の構造を示す図である。
【図５】本発明の実施例による卓球サーブ練習装置に対するサーブ位置感知部の感知センサの結合状態を示す図である。
【図６】本発明の実施例による卓球サーブ練習装置に対するサーブ位置感知部の上面の角形状を示す図である。
【図７】本発明の実施例による卓球サーブ練習装置に対するサーブ位置感知部の本体形状を示す図である。
【図８】本発明の実施例による卓球サーブ練習装置に対する緩衝部材を示す図である。
【図９】本発明の実施例による卓球サーブ練習装置に対するサーブ位置感知部の超音波センサを示す図である。
【発明を実施するための形態】
【００２２】
以下、添付の図面を参照しながら、本発明による好適な実施例を詳細に説明することにする。
【００２３】
本発明の利点、特徴及びそれを達成するための方法は、添付の図面と共に詳細に後述してある実施例を参照すれば、明確になるだろう。
【００２４】
しかし、本発明は、以下に開示する実施例によって限定されるものではなく、互いに異なる様々な形態で具現されるものであり、単に、本実施例は、本発明の開示が完全になるようにし、本発明が属する技術の分野における通常の知識を有する者に、発明の範疇を完全に知らせるために提供されるものであり、本発明は請求項の範疇により定義されるだけである。
【００２５】
また、本発明を説明するに当たり、関連する公知の技術などが本発明の要旨を不明にする可能性があると判断される場合、それに関する詳しい説明は省略することにする。
【００２６】
図１は、本発明の実施例による卓球サーブ練習装置を概略的に示す図であり、図２は、本発明の実施例による卓球サーブ練習装置に対するサーブ位置感知部を示す図であり、図３は、本発明の実施例による卓球サーブ練習装置に対するサーブ位置感知部及び端末機のそれぞれの構成、及びこれらの間の信号を示すブロック図である。
【００２７】
そして、図４は、本発明の実施例による卓球サーブ練習装置に対するサーブ位置感知部の構造を示す図であり、図５は、本発明の実施例による卓球サーブ練習装置に対するサーブ位置感知部の感知センサの結合状態を示す図である。
【００２８】
また、図６は、本発明の実施例による卓球サーブ練習装置に対するサーブ位置感知部の上面の角形状を示す図であり、図７は、本発明の実施例による卓球サーブ練習装置に対するサーブ位置感知部の本体形状を示す図である。
【００２９】
図１に図示されたように、本実施例による卓球サーブ練習装置１００は、卓球台１０と、サーブ位置感知部２０と、発光部３０と、端末機４０とを含む。
【００３０】
ここで、卓球台１０は、第１の部分１１と第２の部分１３とを含んで構成されており、第１の部分１１は、使用者が卓球ボールを打撃し、第１バウンドが行われる部分である。
【００３１】
また、卓球台１０の第２の部分１３は、ネットを挟んで第１の部分１１の反対側に配置される部分であって、上記のように第１の部分１１で第１バウンドが行われた卓球ボールがネットを越えて、第２バウンドが行われるようになる。
【００３２】
サーブ位置感知部２０は、図２に図示されたように、円盤状に形成され、第２の部分１３で第２バウンドが行われる位置を感知するように中心、すなわちカバー２４の内側に感知センサ２１を備える。
【００３３】
このような感知センサ２１は、使用者の打撃による卓球ボールの第２バウンドの振動を感知可能に形成されるものであり、サーブ位置感知部２０は、感知センサ２１の振動感知により卓球ボールの位置を感知すると、第２の信号４７ｂを端末機４０へ送信するように形成される。
【００３４】
ここで、サーブ位置感知部２０は、使用者が位置した第１の部分１１から眺める視線を基準として、第２の部分１３に位置する第１〜第４の位置２３ａ、２３ｂ、２３ｃ、２３ｄのうちの少なくとも１つに設けられることができ、より望ましくは、第１〜第４の位置２３ａ、２３ｂ、２３ｃ、２３ｄの全てに設けられて、感知センサ２１を介して第２の部分１３の複数の位置で卓球ボールの振動が感知できるようにする。
【００３５】
図１に図示されたように、第１〜第４の位置２３ａ、２３ｂ、２３ｃ、２３ｄは全て設定されたものであり、第１の位置２３ａは、ネットに隣接した第２の部分１３の中央部であり得、第２の位置２３ｂは、ネットに隣接しており、使用者の視線を基準として第２の部分１３の左側部に備えられることができる。
【００３６】
また、第３の位置２３ｃは、使用者が位置した反対側の卓球台１０の一端に備えられ、使用者の視線を基準として上記第２の部分１３の左側部に備えられることができ、第４の位置２３ｄは、ネットを基準として使用者が位置した反対側の卓球台１０の一端に備えられ、使用者の視線を基準として第２の部分１３の右側部に備えられることができる。
【００３７】
一方、図３に図示されたように、サーブ位置感知部２０は、第１の通信部２６を備えており、第１の通信部２６により端末機４０の第２の通信部４６と無線通信ができ、さらに、感知センサ２１のオン・オフ動作を可能とするスイッチ（図示せず）を備えることもできる。
【００３８】
サーブ位置感知部２０は、本体２２と、カバー２４とを備える。
【００３９】
まず、本体２２は、図４に図示されたように、中心に取付孔Ｈを備え、感知センサ２１が取付孔Ｈを遮蔽して配置されるように形成される。
【００４０】
すなわち、本体２２は、図５に図示されたように、振動を感知するための感知センサ２１を内部中心、つまり本体２２の上面中心を貫通して形成された取付孔Ｈの上に位置するように形成され、より詳しくは、本体２２は、取付孔Ｈを形成する本体２２の段部２０ｂに感知センサ２１の縁部が配置されて、取付孔Ｈを遮蔽するようにする構造となっている。
【００４１】
これは、上記のように感知センサ２１が卓球台１０の表面と接するように位置していないため、使用者により打撃された卓球ボールが第２の部分１３で第２バウンドするとき、本体２２の周辺に第２バウンドする場合でも、感知センサ２１により振動が感知される従来の問題を未然に防止するためである。
【００４２】
カバー２４は、取付孔Ｈを遮蔽して配置された感知センサ２１の上面に位置しており、図５に図示されたように、本体２２の上面と同一線をなすように形成される。
【００４３】
つまり、カバー２４は、感知センサ２１を保護するように備えられ、カバー２４は、図５に図示されたように、その上面が本体２２の上面と同一線をなすように感知センサ２１の上面に安着して、段差領域を発生することなく、感知センサ２１に対する効果的な保護が行われるようにすることができる。
【００４４】
また、カバー２４が結合された本体２２の上面の角２０ａは、図６に図示されたように、その外周面が丸く形成されるのが望ましく、これは、サーブ位置感知部２０に第２バウンドした卓球ボールが角２０ａに衝突した場合でも、その衝撃量に相当する振動が感知センサ２１へ伝達されて、効果的に振動を感知することができるようにするためである。
【００４５】
より望ましくは、カバー２４が結合された本体２２の上面の角２０ａは、図７に図示されたように、その外周面が丸く形成されると共に、角２０ａに連結された本体２２も所定の傾斜を有するように構成されることによって、サーブ位置感知部２０の本体２２に第２バウンドした卓球ボールが斜め方向に衝突した場合でも、その振動が効果的に感知センサ２１へ伝達されるようにして、正確な振動の感知が可能となるようにすることができる。
【００４６】
発光部３０は、図２に図示されたように、サーブ位置感知部２０、つまり本体２２の上面に設けられ、設定状態に応じてサーブ位置感知部２０の外部に互いに異なる色が発光されるように形成され得る。
【００４７】
つまり、発光部３０は、設定状態に応じて複数の色を発することができ、例えば、発光部３０は、感知センサ２１の活性可能な状態においては、第１の色が発光されるように構成され、第２バウンドの位置が感知された状態、より詳しくは、卓球ボールがサーブ位置感知部２０に第２バウンドして振動を感知した状態においては、当該サーブ位置感知部２０の発光部３０に第２の色が発光されるように構成される。
【００４８】
一例として、発光部３０の第１の色は緑色であり得、第２色は赤色であり得るが、必ずこれに限定されるものではなく、発光部３０はＬＥＤ（Ｌｉｇｈｔ  Ｅｍｉｔｔｉｎｇ  Ｄｅｖｉｃｅ）で形成され得る。
【００４９】
そして、発光部３０は、望ましくは、それぞれのサーブ位置感知部２０に７個以内で設けられることができ、一例として、図２に図示されたように、４個が設けられて連続して点滅するように発光されることもできる。
【００５０】
更に、発光部３０は、端末機４０により第３の信号４７ｃが第１の通信部２６へ提供されることによって、複数個のサーブ位置感知部２０の発光部３０のいずれか１つのサーブ位置感知部２０の発光部３０に第３の色が発光されるようにすることができる。
【００５１】
すなわち、端末機４０は、図１の第１〜第４の位置２３ａ、２３ｂ、２３ｃ、２３ｄに位置したサーブ位置感知部２０へ第３の信号４７ｃを提供して、第３の色で発光部３０が発光されるようにすることもでき、このような第３の信号４７ｃは、第１〜第４の位置２３ａ、２３ｂ、２３ｃ、２３ｄに対して順次に発光部３０が発光されるようにするか、又は、第１〜第４の位置２３ａ、２３ｂ、２３ｃ、２３ｄに対してランダムに発光部３０が発光されるように提供されることができる。
【００５２】
一例として、第１〜第４の位置２３ａ、２３ｂ、２３ｃ、２３ｄで順次に発光部３０が発光されるように第３の信号４７ｃが提供される場合には、第１の位置２３ａ、第２の位置２３ｂ、第３の位置２３ｃ、第４の位置２３ｃの順で、又はその逆順で発光部３０が発光されるようになり、第１〜第４の位置２３ａ、２３ｂ、２３ｃ、２３ｄでランダムに発光部３０が発光されるように第３の信号４７ｃが提供される場合には、不規則に発光部３０が発光されるようになる。
【００５３】
それによって、使用者は、サーブ練習を遂行するに当たり、発光部３０が発光された地点、すなわち、順次に又はランダムに発光された発光部３０を含むサーブ位置感知部２０に向かって卓球ボールを打撃し、それに対する第２バウンド情報が端末機４０へ伝逹され評価が行われるようにすることによって、集中力を提供し、効果的なサーブ練習が行われるようにすることができる。
【００５４】
一方、端末機４０は、サーブ位置感知部２０と無線通信側できるように構成され、このため、端末機４０は、第１の通信部２６と無線通信できる第２の通信部４６を備え、ここで、第１及び第２の通信部２６、４６はブルートゥース（登録商標）による通信ができる。
【００５５】
このような端末機４０は、サーブ位置感知部２０へ感知センサ２１の位置センシングを活性可能とする第１の信号４７ａを提供することができ、さらに、感知センサ２１により第２バウンドが感知されると、サーブ位置感知部２０から送信される第２の信号４７ｂを提供されるようになる。
【００５６】
端末機４０は、色々な信号を入力可能にする入力部４１を備えることができ、さらにディスプレイ部４３を備えることができる。
【００５７】
入力部４１は、無線通信を介して、感知センサ２１を活性化させるための信号を入力することができ、ディスプレイ部４３は、上記のような入力状態を確認することもでき、格納された第２バウンド情報を確認することもできる。
【００５８】
端末機４０は、例えば、使用者などが持っている移動端末機（携帯電話、スマートフォン（ｓｍａｒｔ  ｐｈｏｎｅ）、ノート型パソコン（ｌａｐｔｏｐ  ｃｏｍｐｕｔｅｒ）、移動端末機（例えば、携帯電話、スマートフォン）、ＰＤＡ（ｐｅｒｓｏｎａｌ  ｄｉｇｉｔａｌ  ａｓｓｉｓｔａｎｔｓ）、ＰＭＰ（Ｐｏｒｔａｂｌｅ  Ｍｕｌｔｉｍｅｄｉａ  Ｐｌａｙｅｒ）、スレートＰＣ（ｓｌａｔｅ  ＰＣ）、タブレットＰＣ（ｔａｂｌｅｔ  ＰＣ）、ウルトラブック（ｕｌｔｒａｂｏｏｋ）など）を意味し得る。
【００５９】
一方、サーブ位置感知部２０は、感知センサ２１を介して、第２の部分１３で第２バウンドする時点で、卓球ボールの位置情報、回転方向についての情報及び回転数についての情報を感知することができ、感知センサ２１で感知した卓球ボールの位置情報、回転方向についての情報及び回転数についての情報を端末機４０へ提供することもできる。
【００６０】
ここで、端末機４０へ提供される第２の信号４７ｂは、感知した卓球ボールの位置情報信号を含むことができ、回転方向についての情報信号は第４の信号４７ｄであり得、回転数についての情報の信号は第５の信号４７ｅであり得る。
【００６１】
このような第２の信号４７ｂ、第４〜第５の信号４７ｄ、４７ｅは、図３に図示されたように、サーブ位置感知部２０から端末機４０へ、つまり、サーブ位置感知部２０の第１の通信部２６から端末機４０の第２の通信部４６へ伝送されることができる。
【００６２】
一例として、第１〜第４の位置２３ａ、２３ｂ、２３ｃ、２３ｄにサーブ位置感知部２０が設けられ、第１の位置２３ａに設けられた感知センサ２１が活性化した場合、使用者が卓球ボールを打撃して、第１の位置２３ａのサーブ位置感知部２０に打撃された卓球ボールが第２バウンドすると、感知センサ２１はこれを感知して、端末機４０へ第２の信号４７ｂを送信することができる。
【００６３】
そのため、端末機４０は、使用者が第１の位置２３ａに卓球ボールを打撃したことが分かるようになり、卓球ボールが第２バウンドした当該サーブ位置感知部２０は、発光部３０を介して第２の色を発光することによって、使用者に直ぐ第１の位置２３ａへ卓球ボールを送ったことが分かるようになる。
【００６４】
ここで、回転方向についての情報は、サーブ位置感知部２０に打撃された卓球ボールがセンシングされる瞬間の卓球ボールが回転している方向についての情報であり、卓球ボールは使用者の打撃により、後退方向、前進方向、左方向及び右方向のいずれか１つの方向に回転するか、これらの組み合わせの方向に回転することができる。
【００６５】
また、左方向は反時計回り、右方向は時計回りであり、これらの組み合わせの方向は、一例として後退左方向、後退右方向、前進左方向又は前進右方向であり得る。
【００６６】
そして、回転数についての情報は、使用者の打撃により生じた卓球ボールの回転がサーブ位置感知部２０に当たる瞬間の回転情報である。
【００６７】
本実施例による卓球サーブ練習装置１００は、感知センサ２１を備えるサーブ位置感知部２０、発光部３０及び端末機４０により、使用者により打撃された卓球ボールのバウンドの位置、回転量及び回転方向を感知し、この情報を端末機４０を介して使用者に提供することによって、使用者のサーブ能力を向上させるようにすることができる。
【００６８】
加えて、本実施例による卓球サーブ練習装置１００は、端末機４０の内部にある格納部（図示せず）に、卓球ボールがサーブ位置感知部２０に第２バウンドするにつれて評価されたスコア情報などが、インターネットを介して中央サーバへ伝達され記録されるようにすることによって、複数の使用者間で当該使用者のランキングを登録及び確認するようにすることができる。
【００６９】
以下、図８は、本発明の実施例による卓球サーブ練習装置に対する緩衝部材を示す図である。
【００７０】
図８に図示されたように、本実施例によるサーブ位置感知部２０には、本体２２とカバー２４とが備えられ、このような本体２２の下部には緩衝パッド２２ａが設けられることができる。
【００７１】
すなわち、緩衝パッド２２ａは、ゴムなどのような弾性を有する材質からなるものであり、卓球台１０と向かい合う本体２２の底面に結合されて、第２バウンドのときに、卓球台１０に卓球ボールが衝突することにより生じる振動を吸収するように形成される。
【００７２】
これは、緩衝パッド２２ａを介して卓球台１０の上面、より詳しくは、サーブ位置感知部２０と隣接した卓球台１０の上面から伝達される振動を吸収するようにして、サーブ位置感知部２０の周辺に卓球ボールが第２バウンドすることにより生じた振動が感知センサ２１へ伝達されて、サーブ位置感知部２０に衝突したことと誤認識するような問題を未然に防止するようにするためである。
【００７３】
そこで、本実施例による卓球サーブ練習装置１００は、緩衝パッド２２ａにより上記のような振動感知についてのエラー発生を最小化することができるため、感知結果についての信頼性を向上させることができる。
【００７４】
以下、図９は、本発明の実施例による他の卓球サーブ練習装置に対するサーブ位置感知部の超音波センサを示す図である。
【００７５】
図９に図示されたように、本実施例による卓球サーブ練習装置１００はサーブ位置感知部２０を含み、このようなサーブ位置感知部２０は超音波センサ２７を備えることができる。
【００７６】
このような超音波センサ２７は、本体２２の上面に設けられ、本体２２の周辺を通過する卓球ボールと本体２２の外周面間の間隔を感知するように形成される。
【００７７】
すなわち、超音波センサ２７は、端末機４０を介して感知センサ２１をセンシング可能な状態に活性化させるための第１の信号が提供されることにより一緒に活性化され得、このときに、本体２２の上面に超音波を送り出し受け取って、本体２２の上面を通過する卓球ボールとの距離を測定するようにする。
【００７８】
望ましくは、超音波センサ２７は、本体２２の上面から約５〜７ｃｍに相当する高さで通過する卓球ボールとの距離を測定することができ、このような測定情報を端末機４０へ伝達して、卓球ボールがサーブ位置感知部２０に直接衝突しなくても、接近した度合いに応じて点数を付与することができる。
【００７９】
例えば、もし７ｃｍに相当する高さで卓球ボールがサーブ位置感知部２０を通過するようになると、それに応じる点数が端末機４０へ伝送されて格納され、もし５ｃｍに相当する高さで卓球ボールがサーブ位置感知部２０を通過するようになると、７ｃｍに相当する高さで通過する場合よりも、サーブ位置感知部２０と更に隣接して通過したので、より高い点数を付与されるようになる。
【００８０】
したがって、本実施例による卓球サーブ練習装置１００は、超音波センサ２７を介して、卓球ボールがサーブ位置感知部２０に直接第２バウンドしなくても、接近の度合いに応じて点数を付与することができるので、サーブの高さ及び方向についての修正及び補完が容易に行われるようにすることができる。
【００８１】
本発明は、複数のサーブ位置感知部を備えて、使用者のサーブ練習のときにサーブ位置を端末機へ伝達し、端末機でサーブ位置を格納及び評価して、使用者が所望の位置にサーブを入れることができるように練習が行われるようにすることによって、使用者のサーブ能力が向上されるようにするという効果を有する。
【００８２】
また、本発明は、サーブ位置感知部でサーブの方向及び回転量が感知できるようにすることによって、使用者が所望の回転方向及び回転量でサーブを入れることができるように練習が行われるようにするという効果を有する。
【００８３】
さらに、本発明は、インターネットを介して、端末機に格納されたサーブの評価情報が中央サーバへ伝達され記録されるようにすることによって、複数の使用者間で当該使用者のランキングが確認できるようにするという効果を有する。
【００８４】
以上の本発明は、図面に示された実施例を参考にして説明してきたが、これは例示的なものに過ぎず、当該技術の分野における通常の知識を有する者であれば、これより様々な変形が可能であり、上記で説明された実施例の全て又は一部が選択的に組み合わせて構成されることもできるという点が理解できるだろう。よって、本発明の真正な技術的な保護範囲は、添付の請求の範囲の技術的思想により定められるべきものである。
【符号の説明】
【００８５】
１０  ：  卓球台          １１  ：  第１の部分
１３  ：  第２の部分      ２０  ：  サーブ位置感知部
２０ａ  ：  角            ２０ｂ  ：  段部
２１  ：  感知センサ      ２２  ：  本体
２２ａ  ：  緩衝パッド    ２４  ：  カバー
２６  ：  第１の通信部    ２７  ：  超音波センサ
３０  ：  発光部          ４０  ：  端末機
４１  ：  入力部          ４３  ：  ディスプレイ部
【図１】
2020014825.tif 000003
【図２】
2020014825.tif 000004
【図３】
2020014825.tif 000005
【図４】
2020014825.tif 000006
【図５】
2020014825.tif 000007
【図６】
2020014825.tif 000008
【図７】
2020014825.tif 000009
【図８】
2020014825.tif 000010
【図９】
2020014825.tif 000011